(57)【要約】【課題】  遊技者側に有利な第１特別状態及び第２特別状態が単独発生する期間並びに重複発生する期間が存在する構成の遊技機が管理対象であった場合でも、遊技機の遊技特性の把握をきめ細かく行うことが可能になる大当たり履歴データを出力可能にすること。【解決手段】  パチンコ遊技機１は、大当たり終了後に遊技者側に有利な確変及び時短の双方を同時に発生し、確変転落抽選に当選したときに確変を終了し、特別図柄表示部での図柄変動演出動作が規定回数実行されたときに時短を終了する。管理装置１３は、パチンコ遊技機１からの大当たり信号、確変信号及びスタート信号を利用して、大当たり発生タイミング、確変及び時短重複発生期間、確変単独発生期間及び時短単独発生期間の各終了タイミングを判定する。また、管理装置１３は、大当たり間におけるパチンコ遊技機１についての稼動データを、記判定タイミング毎に集計したレコードを作成し、そのレコード群を大当たり履歴データとして出力する。各レコード中には、スタート数が、時短期間中と確変期間中とに区分した状態で記録される。【選択図】  図１
2006095045.tif 000002
【特許請求の範囲】
【請求項１】
スタート入賞口へのパチンコ玉の入賞に応じて所定の当たり確率の大当たり抽選動作を実行し、その抽選結果を図柄表示部での図柄変動演出動作により報知すると共に、当該抽選結果が当たりの場合に遊技者側に有利な大当たりが発生するように構成され、その大当たり終了後に、遊技者側に有利な第１特別状態及び第２特別状態の双方を同時に発生し、遊技に伴い第１終了条件が成立したときに第１特別状態を終了すると共に、遊技に伴い前記第１終了条件と異なる第２終了条件が成立したときに前記第２特別状態を終了するように構成された遊技機を管理対象とした遊技データ管理システムであって、
前記遊技機で前記第１特別状態及び第２特別状態が双方とも発生している重複期間、前記第１特別状態のみが発生している第１期間、前記第２特別状態のみが発生している第２期間を識別する識別手段と、
前記大当たり間における前記遊技機についての稼動データを、少なくとも大当たりが発生したタイミング毎に集計したレコードを作成し、そのレコード群を大当たり履歴データとして出力するデータ管理手段と、
を備え、
前記データ管理手段は、前記大当たり抽選動作の実行回数を示すデータをスタート数として取得すると共に、当該スタート数を、前記識別手段による識別結果に基づいて、前記第１特別状態に対応した前記重複期間及び第１期間に係る第１スタート数と、前記第２特別状態に対応した前記重複期間及び第２期間に係る第２スタート数とに区分し、それら第１及び第２スタート数を前記大当たり履歴データの各レコード中に記録することを特徴とする遊技データ管理システム。
【請求項２】
前記データ管理手段は、前記大当たり履歴データのためのレコードを作成するタイミングとして、前記大当たりの終了タイミング以外に、前記重複期間の終了タイミング、前記第１期間の終了タイミング、前記第２期間の終了タイミングの少なくとも１つを選択的に設定可能に構成されていることを特徴とする請求項１記載の遊技データ管理システム。
【請求項３】
前記データ管理手段は、前記大当たりの終了タイミング以外に、前記第１期間の終了タイミング、前記第２期間の終了タイミングの少なくとも一方を前記大当たり履歴データのためのレコードを作成するタイミングとするように構成されており、前記第１期間の終了タイミングを前記大当たり履歴データのためのレコードを作成するタイミングとした場合には、当該履歴データのレコードに前記第２期間が終了したか否かを示して出力する一方、前記第２期間の終了タイミングを前記大当たり履歴データのためのレコードを作成するタイミングとした場合には、当該履歴データのレコードに前記第１期間が終了したか否かを示して出力することを特徴とする請求項１記載の遊技データ管理システム。
【請求項４】
前記遊技機の第１特別状態は、前記スタート入賞口への入賞率を通常時より高めた状態であることを特徴とする請求項１ないし３の何れかに記載の遊技データ管理システム。
【請求項５】
前記遊技機の第２特別状態は、前記大当たり抽選動作の当たり確率を通常時より高めた状態であることを特徴とする請求項１ないし４４の何れかに記載の遊技データ管理システム。
【請求項６】
前記遊技機は、前記大当たり終了後における前記図柄表示部での図柄変動演出動作回数が予め設定された規定回数に到達したときに前記第１終了条件が成立し、前記スタート入賞口へのパチンコ玉の入賞に応じて行われる転落抽選動作に当選したときに前記第２終了条件が成立する構成のものであることを特徴とする請求項１ないし５の何れかに記載の遊技データ管理システム。
【請求項７】
前記遊技機側には当該遊技機が前記第２特別状態にあることを示す遊技状態信号を出力する信号発生手段が設けられ、
前記識別手段は、前記図柄表示部での図柄変動演出動作回数をスタート数として計数し、前記遊技機が前記第１特別状態にあるか否かを、前記大当たり終了後における前記スタート数が前記規定回数に到達しているか否かにより判定すると共に、その判定結果並びに前記遊技状態信号に基づいて前記重複期間、第１期間及び第２期間の識別を行うことを特徴とする請求項６記載の遊技データ管理システム。
【請求項８】
前記規定回数を前記遊技機毎に変更設定可能な設定手段が設けられていることを特徴とする請求項７記載の遊技データ管理システム。
【請求項９】
前記大当たり抽選動作の契機となった前記スタート入賞口へのパチンコ玉入賞時点での前記遊技機の状態を判定する判定手段を備え、
前記データ管理手段は、前記判定手段による判定内容をスタート種別データとして蓄積することを特徴とする請求項１ないし８の何れかに記載の遊技データ管理システム。
【発明の詳細な説明】
【技術分野】
【０００１】
本発明は、遊技機に係る稼動データを集計する機能を備えた遊技データ管理システムに関する。
【背景技術】
【０００２】
例えば、第１種パチンコ遊技機（所謂セブン機）にあっては、スタート入賞口へのパチンコ玉の入賞を契機に行われる大当たり抽選動作に当選したときに大当たりが発生すると共に、大当たりが終了した後に、大当たりの発生確率を通常時より高めた確率変動状態（以下、確変と呼ぶ）が所定の割合で発生し、この確変期間中は、当たり図柄表示部の図柄変動時間を短縮させると同時に、大当たりの発生契機となるスタート入賞口への入賞率を通常時より高めた変動時間短縮状態（以下、時短と呼ぶ）も合わせて発生する構成、つまり、確変期間と時短期間とが常に一致する構成とされたものが提供されている。このような遊技機についての大当たり履歴データを管理する場合には、確変及び時短の重複期間に発生した期間での履歴データと、それ以外の期間（通常状態にある期間）での履歴データとを区別することが望ましい。
【０００３】
これに対して、従来では、例えば特許文献１に見られるように、遊技機から出力される遊技状態信号に基づいて、発生した大当たりの種別（確変中大当たり、時短中大当たり、通常状態中大当たり）を判定し、大当たり間のスタート数（大当たりが新たに発生するまでの期間において実行された大当たり抽選動作の回数を示す）を含む大当たり履歴のレコードを、判定した大当たり種別と共に順次記録するようにしたデータ管理装置が提供されており、このような装置を利用することによって、確変及び時短の重複期間に発生した大当たりに係る履歴データとそれ以外の期間に発生した大当たりに係る履歴データとを区別する、という上記のような要望に対応することが可能である。
【特許文献１】特開２００４−１６６９５８号公報
【発明の開示】
【発明が解決しようとする課題】
【０００４】
今般行われた遊技機規則の改正に伴って、同時に発生した確変及び時短が各々異なるタイミングで終了する構成、即ち、確変及び時短の重複期間から、確変及び時短の一方のみが単独発生した期間を経た後に、通常状態に戻るという遊技パターンが出現する構成とされた新しい仕様のパチンコ遊技機が提案されている。
このような仕様のパチンコ遊技機が出現した場合には、確変期間（重複期間及び確変が単独発生した期間）に係るスタート数と、時短期間（重複期間及び時短が単独発生した期間）に係るスタート数とを区分して記録した状態の大当たり履歴データを作成することが、パチンコ遊技機の遊技特性などの管理を行う上で必要となってくる。しかしながら、従来の手段では、確変及び時短の重複期間とそれ以外の期間との区別しかできないため、遊技場に上記新仕様のパチンコ遊技機が導入された場合に、確変期間に係るスタート数と、時短期間に係るスタート数とを区分して記録した状態の大当たり履歴データを作成することができず、このため、例えば、遊技機の遊技特性の管理をきめ細かく行うことが困難になるなどの問題点が生じてしまう。
【０００５】
本発明は上記事情に鑑みてなされたものであり、その目的は、遊技者側に有利な第１特別状態及び第２特別状態が単独発生する期間並びに重複発生する期間が存在する構成の遊技機が管理対象であった場合でも、遊技機の遊技特性の把握をきめ細かく行うことが可能になる大当たり履歴データを出力可能になる遊技データ管理システムを提供することにある。
【課題を解決するための手段】
【０００６】
請求項１記載の発明は、上記目的を達成するために、スタート入賞口へのパチンコ玉の入賞に応じて所定の当たり確率の大当たり抽選動作を実行し、その抽選結果を図柄表示部での図柄変動演出動作により報知すると共に、当該抽選結果が当たりの場合に遊技者側に有利な大当たりが発生するように構成され、その大当たり終了後に、遊技者側に有利な第１特別状態及び第２特別状態の双方を同時に発生し、遊技に伴い第１終了条件が成立したときに第１特別状態を終了すると共に、遊技に伴い前記第１終了条件と異なる第２終了条件が成立したときに前記第２特別状態を終了するように構成された遊技機を管理対象とした遊技データ管理システムにおいて、
前記遊技機で前記第１特別状態及び第２特別状態が双方とも発生している重複期間、前記第１特別状態のみが発生している第１期間、前記第２特別状態のみが発生している第２期間を識別する識別手段と、前記大当たり間における前記遊技機についての稼動データを、少なくとも大当たりが発生したタイミング毎に集計したレコードを作成し、そのレコード群を大当たり履歴データとして出力するデータ管理手段とを備えた上で、
前記データ管理手段を、前記大当たり抽選動作の実行回数を示すデータをスタート数として取得すると共に、当該スタート数を、前記識別手段による識別結果に基づいて、前記第１特別状態に対応した前記重複期間及び第１期間に係る第１スタート数と、前記第２特別状態に対応した前記重複期間及び第２期間に係る第２スタート数とに区分し、それら第１及び第２スタート数を前記大当たり履歴データの各レコード中に記録する構成としたものである。
【０００７】
この場合、請求項２記載の発明のように、前記データ管理手段は、前記大当たり履歴データのためのレコードを作成するタイミングとして、前記大当たりの終了タイミング以外に、前記重複期間の終了タイミング、前記第１期間の終了タイミング、前記第２期間の終了タイミングの少なくとも１つを選択的に設定可能な構成とすることができる。
【０００８】
また、請求項３記載の発明のように、前記データ管理手段を、前記大当たりの終了タイミング以外に、前記第１期間の終了タイミング、前記第２期間の終了タイミングの少なくとも一方を前記大当たり履歴データのためのレコードを作成するタイミングとするように構成とした上で、前記第１期間の終了タイミングを前記大当たり履歴データのためのレコードを作成するタイミングとした場合には、当該履歴データのレコードに前記第２期間が終了したか否かを示して出力する一方、前記第２期間の終了タイミングを前記大当たり履歴データのためのレコードを作成するタイミングとした場合には、当該履歴データのレコードに前記第１期間が終了したか否かを示して出力する構成とすることもできる。
【０００９】
請求項４記載の発明のように、前記遊技機の第１特別状態は、前記スタート入賞口への入賞率を通常時より高めた状態であっても良い。
【００１０】
請求項５記載の発明のように、前記遊技機の第２特別状態は、前記大当たり抽選動作の当たり確率を通常時より高めた状態であっても良い。
【００１１】
請求項６記載の発明のように、前記遊技機は、前記大当たり終了後における前記図柄表示部での図柄変動演出動作回数が予め設定された規定回数に到達したときに前記第１終了条件が成立し、前記スタート入賞口へのパチンコ玉の入賞に応じて行われる転落抽選動作に当選したときに前記第２終了条件が成立する構成のものであっても良い。
【００１２】
請求項７記載の発明のように、前記遊技機側に当該遊技機が前記第２特別状態にあることを示す遊技状態信号を出力する信号発生手段が設けた上で、前記識別手段を、前記図柄表示部での図柄変動演出動作回数をスタート数として計数し、前記遊技機が前記第１特別状態にあるか否かを、前記大当たり終了後における前記スタート数が前記規定回数に到達しているか否かにより判定すると共に、その判定結果並びに前記遊技状態信号に基づいて前記重複期間、第１期間及び第２期間の識別を行う構成としても良い。
【００１３】
請求項８記載の発明のように、前記規定回数を前記遊技機毎に変更設定可能な設定手段を設ける構成とすることもできる。
【００１４】
さらに、請求項９記載の発明のように、前記大当たり抽選動作の契機となった前記スタート入賞口へのパチンコ玉入賞時点での前記遊技機の状態を判定する判定手段を備えた上で、前記データ管理手段を、前記判定手段による判定内容をスタート種別データとして蓄積する構成とすることもできる。
【発明の効果】
【００１５】
請求項１記載の発明によれば、遊技機においては、スタート入賞口へのパチンコ玉の入賞に応じて所定の当たり確率の大当たり抽選動作を実行し、その抽選結果を図柄表示部での図柄変動演出動作により報知すると共に、当該抽選結果が当たりの場合に遊技者側に有利な大当たりが発生するようになる。このようにして大当たりが発生したときには、その大当たり終了後に遊技者側に有利な第１特別状態及び第２特別状態の双方が同時に発生し、その後の遊技に伴い、第１終了条件または第２終了条件が成立するのに伴い、第１及び第２特別状態の一方が終了して他方の特別状態が単独で発生した状態となり、この状態が所定時期まで（残りの終了条件が成立するまで）続くことになる。
【００１６】
この場合、識別手段においては、遊技機で第１特別状態及び第２特別状態が双方とも発生している重複期間、第１特別状態のみが発生している第１期間、第２特別状態のみが発生している第２期間を識別するようになる。尚、大当たり終了後には、重複期間が発生することになり、この重複期間は、遊技機での遊技に伴い第１終了条件または第２終了条件が成立して、第１期間及び第２期間の何れかに移行するまで続くことになる。
【００１７】
データ管理手段においては、大当たり間における遊技機についての稼動データを、少なくとも大当たりが発生したタイミング毎に集計したレコードを作成し、そのレコード群を大当たり履歴データとして出力する。また、データ管理手段は、大当たり抽選動作の実行回数を示すデータをスタート数として取得すると共に、当該スタート数を、識別手段による識別結果に基づいて、重複期間及び第１期間に係るスタート数（遊技機が第１特別状態にある期間のスタート数）と、重複期間及び第２期間に係るスタート数（遊技機が第２特別状態にある期間のスタート数）とに区分し、それら第１スタート数及び第２スタート数を大当たり履歴データの各レコード中に記録するようになる。
【００１８】
つまり、遊技者側に有利な第１特別状態及び第２特別状態が単独発生する期間並びに重複発生する期間が存在する構成の遊技機が管理対象であった場合でも、第１遊技状態にある期間のスタート数と、第２遊技状態にある期間のスタート数とを区分した状態の大当たり履歴データを作成できるものであり、これにより、遊技機の遊技特性などの管理をきめ細かく行うことが可能になるものである。
【００１９】
請求項２記載の発明によれば、大当たり履歴データのレコードが、大当たりの発生タイミング毎に作成されることは勿論、重複期間の終了タイミング（第１及び第２遊技状態が双方とも発生した期間から当該各遊技状態の一方が終了したタイミング）、第１期間の終了タイミング（単独発生状態にあった第１遊技状態が終了したタイミング）、第２期間の終了タイミング（単独発生状態にあった第２遊技状態が終了したタイミング）の何れか１つまたは２つ若しくは全部において選択的に作成できるから、大当たり履歴データに基づいた遊技機の管理を精度良く行うことが可能になる。
【００２０】
請求項３記載の発明によれば、大当たりの終了タイミング以外に、第１期間の終了タイミング、第２期間の終了タイミングの少なくとも一方を前記大当たり履歴データのためのレコードを作成するタイミングとし、第１期間の終了タイミングをレコード作成タイミングとした場合には、大当たり履歴データのレコードに前記第２期間が終了したか否かを示して出力される一方、第２期間の終了タイミングをレコード作成タイミングとした場合には、大当たり履歴データのレコードに前記第１期間が終了したか否かを示して出力されることになるから、結果的に、レコード数を少なく抑えながら遊技機での遊技状態の推移を的確に把握可能になる。
【００２１】
請求項７記載の発明によれば、識別手段は、図柄表示部での図柄変動演出動作回数をスタート数として計数し、遊技機が前記第１特別状態にあるか否かを、大当たり終了後におけるスタート数が前記第１終了条件のために設定された規定回数に到達しているか否かにより判定し、その判定結果並びに遊技機側に設けられた信号発生手段からの遊技状態信号に基づいて、前記重複期間、第１期間及び第２期間の識別を行う。つまり、遊技機側からは１種類の遊技状態信号が出力されるだけであって、データ管理手段側のハードウェア構成を変更する必要がなくなるから、ハードウェアコストの増大を伴う恐れがなくなるものである。
【００２２】
請求項８記載の発明によれば、第１終了条件のために設定された規定回数を遊技機毎に変更設定できるから、第１特別状態の終了タイミングを、遊技機毎或いはその機種毎に異ならせることが可能になり、これにより遊技場内に設置された遊技機に係る遊技性の多様化を容易に実現できるようになる。
【００２３】
請求項９記載の発明によれば、スタート入賞口へパチンコ玉が入賞したときの遊技機の状態が、スタート種別データとして蓄積されることになるから、一段ときめ細かいデータ管理が可能になる。
【発明を実施するための最良の形態】
【００２４】
以下、本発明の一実施例について図面を参照しながら説明する。
図２には、本実施例で管理対象となるパチンコ遊技機の正面外観が概略的に示されている。この図２において、パチンコ遊技機１は、その上皿２内のパチンコ玉を電動式の発射装置（操作ダイヤルのみ符号３を付して示す）により盤面４へ発射する構成となっている。盤面４には、アウト口５、電動チューリップ６ａを備えたスタート入賞口６、賞球の払出しがないスルー入賞口７、アタッカーと呼ばれる電動役物８ａを備えた大入賞口８、図柄表示装置９が設けられていると共に、図示しない通常入賞口も設けられている。
上記図柄表示装置９は、例えばバックライト付きのカラー液晶表示パネルにより構成されたもので、図３に概略的に示すように、特別図柄表示部９ａ、保留玉数表示部９ｂ、普通図柄表示部９ｃを備えている。
【００２５】
上記のように構成されたパチンコ遊技機１の基本動作は以下の通りである。
（１）スタート入賞口６へのパチンコ玉の入賞に応じて所定の当たり確率（例えば、通常状態時において１／３００、後述する確変状態時において１／５０）の大当たり抽選動作を実行すると共に、当該パチンコ玉の入賞数を、大当たり抽選動作の抽選結果（「大当たり」または「ハズレ」）が付随した状態の保留玉データとして一時的に記憶する。
【００２６】
（２）上記記憶動作は、例えばＦＩＦＯ形式（先入れ先出し形式）で行われるものであり、記憶された保留玉データは、付随した抽選結果の表示動作が特別図柄表示部９ａにおいて実行される毎に消化される。この抽選結果の表示動作は、パチンコ遊技機１において大当たりが発生していない期間、並びに特別図柄表示部９ａが動作停止している期間には直ちに実行され、また、当該大当たりが発生している期間や特別図柄表示部９ａが動作中の期間には、その大当たりの終了或いは特別図柄表示部９ａの動作停止を待って実行される。この場合、特別図柄表示部９ａは、図柄表示装置９の中央に表示される例えば３桁の数字列より成るルーレットにより構成されたもので（図３参照）、抽選結果の表示動作時には、当該ルーレットの図柄変動演出動作（本実施例の場合、数字列の各桁の「０」〜「９」の範囲での変動表示）を所定期間だけ行うと共に、抽選結果が「大当たり」であったときにはその図柄変動演出動作の終了時点で数字列が「１１１」、「２２２」、…のようなぞろ目図柄（大当たり図柄）となるように制御され、抽選結果が「ハズレ」であったときには、ぞろ目図柄以外のハズレ図柄をランダムに表示するように制御される。
【００２７】
（３）特別図柄表示部９ａにぞろ目図柄が表示されたときには、大入賞口８の電動役物８ａ（アタッカー）を予め決められたモードにて所定期間だけ開放する制御を行い、以て当該大入賞口８への入賞率を極端に高めた大当たりを発生させる。
（４）保留玉データの最大記憶数、つまり未消化の保留玉数の上限値は、例えば４個分に限定される構成となっており、その保留玉数は、保留玉数表示部９ｂにおいて周知の形態で表示される。
【００２８】
（５）スルー入賞口７へのパチンコ玉の入賞に応じて所定の当たり確率（例えば１／１０）の補助抽選動作を実行し、その補助抽選動作の結果を普通図柄表示部９ｃで表示する。尚、普通図柄表示部９ｃは、図柄表示装置９の右下部に表示される例えば２桁の数字列より成るルーレットにより構成されたもので、抽選結果の表示動作時には、当該ルーレットの図柄変動表示（本実施例の場合、数字列の各桁の「０」〜「９」の範囲での変動表示）を所定期間だけ行うと共に、補助抽選動作の結果が当たりであったときにはその図柄変動表示の終了時点で数字列が「１１」、「２２」、…のようなぞろ目図柄（当たり図柄）となるように制御される。
【００２９】
（６）普通図柄表示部９ｃにぞろ目図柄が表示された状態では、電動チューリップ６ａを所定時間（例えば、通常状態時において０．５秒、後述する時短状態時において５秒）だけ開放させる制御を行う。
（７）前記大当たりが終了した後は、大当たり抽選動作の当たり確率を、通常状態時の１／３００から１／５０に高めた確率変動状態（以下、確変と呼ぶ：第２特別状態に相当）と、普通図柄表示部９ｃによる表示動作の所要時間を、通常時の３０秒から５秒に短縮した変動時間短縮状態（以下、時短と呼ぶ：第１特別状態に相当）とを同時に発生させる。尚、この時短状態では、前述したように、電動チューリップ６ａの開放時間を通常時の０．５秒から５秒に延長する制御も行われる。
【００３０】
（８）確変が発生した期間には、スタート入賞口６へパチンコ玉が入賞する毎に所定の当たり確率（例えば、１／１００）の確変転落抽選動作を実行する。この抽選に当選したときに、本発明でいう第２終了条件が成立するものであり、その成立に応じて確変を終了する。尚、上記確変転落抽選動作に当選したこと、つまり確変が終了したことは、図柄表示装置９などに表示されない構成となっており、従って遊技者では確変が終了したことを直接的に判別できない。
【００３１】
（９）時短が発生した期間には、特別図柄表示部９ａでの図柄変動演出動作の実行回数（以下、これをスタート数と呼ぶ）が大当たり終了後に予め設定された規定回数（例えば５０回）に達したときに、本発明でいう第１終了条件が成立するものであり、その成立に応じて時短を終了する。尚、後述するように、本実施例においては、時短の発生状態を報知する機能が設定されているが、このような報知が行われない場合であっても、時短の終了に伴い普通図柄表示部９ｃによる表示動作の所要時間及び電動チューリップ６ａの開放時間が通常状態に戻されることになるから、遊技者では、上記のような各時間の変化に基づいて時短が終了したことを間接的に判別できる。
【００３２】
以上のような基本動作が設定されたパチンコ遊技機１においては、大当たりが一旦発生したときには、その大当たりの終了後において確変と時短が同時に発生することになる。この場合、時短は一定期間が経過したとき（大当たり後のスタート数が５０回に達したとき）に必ず終了するが、確変の終了時期は確変転落抽選動作の結果に依存して決まるため、それら確変及び時短の各継続期間が一致しなくなる。
【００３３】
つまり、パチンコ遊技機１においては、大当たりが終了した後には、
（Ａ）確変及び時短が同時に発生した確変／時短遊技状態を呈した期間（重複期間に相当）、
が出現し、この遊技状態にある期間中に大当たりが再発生しなかった場合には、
（Ｂ）確変のみが発生した確変単独遊技状態を呈した期間（第２期間に相当）、
（Ｃ）時短のみが発生した時短単独遊技状態を呈した期間（第１期間に相当）、
の何れかが出現し、これら各期間中に大当たりが再発生しなかった場合には、
（Ｄ）確変及び時短が双方ともに発生していない通常遊技状態（所謂ベース状態）を呈した期間（以下、必要に応じて通常期間と呼ぶ）、
が出現することになる。但し、確率的には非常に低いが、確変及び時短がほとんど同じ時期に終了する可能性があり、このような場合には確変／時短遊技状態（Ａ）の後に、確変単独遊技状態（Ｂ）或いは時短単独遊技状態（Ｃ）が実質的に出現せず、通常遊技状態（Ｄ）がいきなり出現することになる。
【００３４】
また、図示しないが、パチンコ遊技機１には、発生したアウト玉数を示すアウト信号、発生したセーフ玉数を示すセーフ信号、特別図柄表示部９ａが動作開始されたことを示すスタート信号、大当たりが発生したことを示す大当たり信号、確変が発生したことを示す確変信号（遊技状態信号に相当）を出力するための信号発生基板（信号発生手段に相当）が設けられており、この信号発生基板は、大当たり期間に大当たり信号を継続的に出力し、確変期間（確変／時短遊技状態（Ａ）、確変単独遊技状態（Ｂ）にある各期間）に確変信号を継続的に出力する構成となっている。尚、この信号発生基板は、時短期間において遊技状態信号に相当した信号を出力しない構成になっている。
【００３５】
図５のタイミングチャートには、上記（Ａ）〜（Ｄ）の各期間の出現例が示されている。即ち、この図５には、大当たり、確変、時短の発生タイミングがそれぞれ示されており、通常遊技状態（Ｄ）中のタイミングｔ１において発生した１回目の大当たりが終了したとき（タイミングｔ２）には、確変／時短遊技状態（Ａ）が出現する。この後に大当たりが再発生する前のタイミングｔ３において、スタート数が規定回数（５０回）に到達したときには、時短が終了されて確変単独遊技状態（Ｂ）が出現する。
【００３６】
この確変単独遊技状態（Ｂ）中のタイミングｔ４において２回目の大当たりが発生したときには、当該確変単独遊技状態（Ｂ）が終了され、その大当たりが終了したとき（タイミングｔ５）に確変／時短遊技状態（Ａ）が出現する。この後に大当たりが再発生する前のタイミングｔ６において、確変転落抽選動作に当選したときには、確変が終了されて時短単独遊技状態（Ｃ）が出現する。
【００３７】
この時短単独遊技状態（Ｃ）中のタイミングｔ７において３回目の大当たりが発生したときには、当該時短単独遊技状態（Ｃ）が終了され、その大当たりが終了したとき（タイミングｔ８）に確変／時短遊技状態（Ａ）が出現する。この後に大当たりが再発生する前のタイミングｔ９において、確変転落抽選動作に当選したときには、確変が終了されて時短単独遊技状態（Ｃ）が出現する。さらに、大当たりが再発生する前のタイミングｔ１０において、スタート数が規定回数（５０回）に到達したときには、時短が終了されて通常遊技状態（Ｄ）が出現する。
【００３８】
図１には、遊技場用システムの概略的構成が示されている。この図１において、遊技場内に多数台ずつ設置されたパチンコ遊技機１及び台間玉貸機１０は、互いの間で信号の授受を行い得るように構成されている。パチンコ遊技機１の上方には、データ送受信の中継機能を備えた呼出ランプユニット１１が設けられており、当該パチンコ遊技機１は、呼出ランプユニット１１及びＬＡＮ１２を介して管理装置１３（識別手段、データ管理手段、判定手段に相当）に接続され、台間玉貸機１０は呼出ランプユニット１１を介して管理装置１３に接続されている。尚、パチンコ遊技機１から出力される前記アウト信号、セーフ信号、スタート信号、大当たり信号、確変信号などは、呼出ランプユニット１１及びＬＡＮ１２を介して管理装置１３に与えられる構成となっている。また、ＬＡＮ１２には、遊技者向けの種々のデータを表示するための周知構成の情報公開端末１４が接続されている。
【００３９】
台間玉貸機１０は、プリペイドカード挿入口１０ａに図示しないプリペイドカードが挿入された状態で当該プリペイドカードに記憶された残高金額データの範囲内でパチンコ玉を放出（貸出）するＣＲ機（カードリーダ機）としての機能を備えたものである。この場合、各台間玉貸機１０から管理装置１３には、プリペイドカードによる売上を示す売上信号などが出力される。
【００４０】
呼出ランプユニット１１は、図４に示すように、３段に配置された表示ランプ１１ａ、１１ｂ、１１ｃ、例えばバックライト付きの液晶パネルより成るデータ表示部１１ｄ、このデータ表示部１１ｄによる表示内容を切換えるためのデータ切換ボタン１１ｅ、呼出ボタン１１ｆなどを備えた周知構成のもので、呼出ボタン１１ｆの操作に伴う呼び出し状態の表示機能、対応するパチンコ遊技機１での稼動データに基づいて作成した後述の遊技客向けデータを表示する機能、パチンコ遊技機１及び台間玉貸機１０のためのデータ入出力インタフェースの機能などを備えている。
【００４１】
特に、呼出ランプユニット１１にあっては、対応するパチンコ遊技機１が大当たりにある期間には、表示ランプ１１ａ〜１１ｃをサイクリックに点滅させるという表示動作を行い、パチンコ遊技機１が確変／時短遊技状態にあるとき並びに時短単独遊技状態にあるときに表示ランプ１１ｂ、１１ｃを交互に点滅させるという表示動作を行う構成となっている。尚、呼出ランプユニット１１は、対応するパチンコ遊技機１が確変単独遊技状態にある旨の表示動作を行わない構成となっている。
【００４２】
管理装置１３は、パチンコ遊技機１及び台間玉貸機１０から出力される種々の信号（アウト信号、セーフ信号、スタート信号、大当たり信号、確変信号、売上信号など）に基づいて、パチンコ遊技機１についての稼動データ（アウト玉数、セーフ玉数、差玉数、稼動率、出玉率、ベース、スタート数など）、並びに台間玉貸機１０についての貸出高データ（売上金額、割数など）を集計して格納するという周知のデータ集計機能を備えた構成となっている。
【００４３】
特に、管理装置１３は、パチンコ遊技機１からの大当たり信号、確変信号、スタート信号の入力状態に基づいて、当該パチンコ遊技機１が前述した確変／時短遊技状態、確変単独遊技状態、確変単独遊技状態、通常遊技状態の何れの状態にあるかを識別し、その識別結果及びパチンコ遊技機１からのアウト信号、セーフ信号に基づいて、各パチンコ遊技機１に係る稼動データを個別に集計する構成となっている。
【００４４】
図６〜図１１には、管理装置１３による制御内容のうち、１台のパチンコ遊技機１に係る稼動データを集計するための制御内容が示されており、以下、これについて関連した作用と共に説明する。
図６に示すように、管理装置１３は、アウト信号入力処理ルーチンＲ１、セーフ信号入力処理ルーチンＲ２、スタート信号入力処理ルーチンＲ３、大当たり信号入力処理ルーチンＲ４、確変信号入力処理ルーチンＲ５から成るメインプログラムを反復実行する構成となっている。
【００４５】
図７には、アウト信号入力処理ルーチンＲ１の内容が示されている。このルーチンＲ１では、アウト信号の入力の有無を判断し（ステップＡ１）、非入力状態ではそのままリターンする。これに対して、アウト信号が入力されたときには、累計アウト数をインクリメントし（ステップＡ２）、大当たり中フラグ及び時短中フラグのオン状態を順次判断する（ステップＡ３、Ａ４）。尚、上記大当たり中フラグ及び時短中フラグは、後述の説明から明らかになるように、パチンコ遊技機１が大当たりにある期間及び時短状態にある期間にそれぞれオンされるものである。
【００４６】
大当たり中フラグ及び時短中フラグが双方ともオフの場合にはそのままリターンするが、大当たり中フラグがオンの場合には、大当たり中アウト数をインクリメントするステップＡ５を実行した後にリターンし、また、時短中フラグがオンの場合には、時短中アウト数をインクリメントするステップＡ６を実行した後にリターンする。
上記したアウト信号入力処理ルーチンＲ１が実行される結果、アウト信号が入力される毎（パチンコ遊技機１において打込玉（アウト）が発生する毎）に累計アウト数がインクリメントされると共に、そのアウト信号の入力時点において大当たり中フラグがオンされていた場合に大当たり中アウト数がインクリメントされ、アウト信号の入力時点において時短中フラグがオンされていた場合に時短中アウト数がインクリメントされることになる。
【００４７】
図８には、セーフ信号入力処理ルーチンＲ２の内容が示されている。このルーチンＲ２では、セーフ信号の入力の有無を判断し（ステップＢ１）、非入力状態ではそのままリターンする。これに対して、セーフ信号が入力されたときには、累計セーフ数をインクリメントし（ステップＢ２）、大当たり中フラグ及び時短中フラグのオン状態を順次判断する（ステップＢ３、Ｂ４）。
【００４８】
大当たり中フラグ及び時短中フラグが双方ともオフの場合にはそのままリターンするが、大当たり中フラグがオンの場合には、大当たり中セーフ数をインクリメントするステップＢ５を実行した後にリターンし、また、時短中フラグがオンの場合には、時短中セーフ数をインクリメントするステップＢ６を実行した後にリターンする。
上記したセーフ信号入力処理ルーチンＲ２が実行される結果、セーフ信号が入力される毎（パチンコ遊技機１において入賞玉（セーフ）が発生する毎）に累計セーフ数がインクリメントされると共に、そのセーフ信号の入力時点において大当たり中フラグがオンされていた場合に大当たり中セーフ数がインクリメントされ、セーフ信号の入力時点において時短中フラグがオンされていた場合に時短中セーフ数がインクリメントされることになる。
【００４９】
図９には、スタート信号入力処理ルーチンＲ３の内容が示されている。このルーチンＲ３では、スタート信号の入力の有無を判断し（ステップＣ１）、非入力状態ではそのままリターンする。これに対して、スタート信号が入力されたときには、累計スタート数をインクリメントし（ステップＣ２）、確変中フラグ及び時短中フラグのオン状態を順次判断する（ステップＣ３、Ｃ４）。尚、上記確変中フラグは、後述の説明から明らかになるように、パチンコ遊技機１が確変状態にある期間にオンされるものである。
【００５０】
確変中フラグ及び時短中フラグが双方ともオフの場合にはそのままリターンするが、確変中フラグがオンの場合には、確変中スタート数（第２スタート数に相当）をインクリメントするステップＣ５、仮確変スタート数をインクリメントするステップＣ６を順次実行した後に、時短中フラグのオン状態を判断する（ステップＣ７）。ここで「ＮＯ」と判断した場合にはそのままリターンするが、「ＹＥＳ」と判断した場合、つまり、確変中フラグのオン状態で時短中フラグもオン状態にある場合には、確変／時短中スタート数をインクリメントし（ステップＣ８）、この後に前記ステップＣ４へ移行する。
【００５１】
ステップＣ４で「ＹＥＳ」と判断した場合、つまり、時短中フラグがオン状態にある場合には、時短中スタート数（第１スタート数に相当）をインクリメントするステップＣ９、状態判定用スタート数をインクリメントするステップＣ１０を順次実行した後に、当該状態判定用スタート数が「５０」（前述した規定回数に相当した値）に達したか否かを判断する（ステップＣ１１）。
【００５２】
状態判定用スタート数≠５０の場合にはそのままリターンするが、状態判定用スタート数＝５０となった場合には、時短中フラグをオフするステップＣ１２を実行した後にリターンする。尚、上記状態判定用スタート数は、後述の説明により明らかとなるように、パチンコ遊技機１において発生した大当たりが終了し、これに応じて時短中フラグがオンされたときに初期値（＝０）にイニシャライズされるものである。
【００５３】
上記したスタート信号入力処理ルーチンＲ３が実行される結果、スタート信号が入力される毎（パチンコ遊技機１の特別図柄表示部９ａにおいてルーレットの図柄変動演出動作が行われる毎）に累計スタート数がインクリメントされる。また、そのスタート信号の入力時点において確変中フラグがオンされていた場合には、確変中スタート数及び仮確変スタート数がインクリメントされ、このとき、当該確変中フラグと共に時短中フラグもオンされていた場合には、確変／時短中スタート数がインクリメントされる。さらに、上記スタート信号の入力時点において、時短中フラグがオンされていた場合には、時短中累計スタート数及び状態判定用スタート数がインクリメントされる。特に、この場合、そのインクリントに応じて上記状態判定用スタート数が「５０」に達したとき、つまり、大当たり終了後のスタート数が規定回数である５０回に達したときには、時短中フラグがオフされる。
【００５４】
図１０には、大当たり信号入力処理ルーチンＲ４の内容が示されている。このルーチンＲ４では、大当たり中フラグのオン状態を判断し（ステップＤ１）、オフの場合には大当たり信号が入力開始されたか否かを判断する（ステップＤ２）。このステップＤ２で「ＮＯ」と判断される場合（大当たり信号が入力されていない状態にある場合）には、そのままリターンするが、大当たり信号が入力開始されたときには、累計大当たり数をインクリメントするステップＤ３、大当たり中フラグをオンするステップＤ４を順次実行した後に、確変中フラグのオン状態を判断する（ステップＤ５）。確変中フラグがオフの場合にはそのままリターンするが、オンの場合には確変中大当たり数をインクリメントするステップＤ６を実行した後にリターンする。
【００５５】
大当たり中フラグがオンであった場合（ステップＤ１で「ＹＥＳ」）には、大当たり信号の入力が終了したか否か、つまり、大当たり信号が立ち下がったか否かを判断し（ステップＤ７）、ここで「ＮＯ」と判断したときにはそのままリターンする。これに対して、大当たり信号の入力が終了したときには、大当たり中フラグをオフするステップＤ８、時短中フラグをオンするステップＤ９、状態判定用スタート数を初期値にイニシャライズするステップＤ１０、仮確変スタート数を初期値にイニシャライズするステップＤ１１を順次実行した後にリターンする。
【００５６】
上記した大当たり信号入力処理ルーチンＲ４が実行される結果、大当たり信号の入力が開始されたとき（パチンコ遊技機１において大当たりが発生したとき）に、累計大当たり数がインクリメントされると共に、大当たり中フラグがオンされる。また、大当たり信号が入力開始された時点において確変中フラグがオンされた状態（上記大当たりが確変期間に発生した状態に相当）にあった場合には、確変中大当たり数がインクリメントされる。さらに、大当たり信号の入力が停止されたとき（パチンコ遊技機１での大当たりが終了したとき）には、大当たり中フラグがオフされると共に、時短中フラグがオンされ、これと同時に、状態判定用スタート数（これは、前述したように、スタート信号の入力時点において、時短中フラグがオンされていた場合にインクリメントされる）及び仮確変スタート数（これは、前述したように、スタート信号の入力時点において、確変中フラグがオンされていた場合にインクリメントされる）が初期値にイニシャライズされる。
【００５７】
図１１には、確変信号入力処理ルーチンＲ５の内容が示されている。このルーチンＲ５では、確変中フラグのオン状態を判断し（ステップＥ１）、オフの場合には確変信号が入力開始されたか否かを判断する（ステップＥ２）。このステップＥ２で「ＮＯ」と判断される場合（確変信号が入力されていない状態にある場合）には、そのままリターンするが、確変信号が入力開始されたときには、確変中フラグをオンするステップＥ３を実行した後にリターンする。
【００５８】
確変中フラグがオンであった場合（ステップＥ１で「ＹＥＳ」）には、確変信号の入力が終了したか否か、つまり、確変信号が立ち下がったか否かを判断し（ステップＥ４）、ここで「ＮＯ」と判断したときにはそのままリターンする。これに対して、確変信号の入力が終了したときには、確変中フラグをオフするステップＥ５、仮確変スタート数を確変中無当たりスタート数に加算するステップＥ６を実行した後にリターンする。
【００５９】
上記した確変信号入力処理ルーチンＲ５が実行される結果、確変信号の入力が開始されたとき（パチンコ遊技機１において確変が発生したとき（実際には、確変／時短遊技状態が発生したとき））に確変中フラグがオンされる。また、確変信号の入力が停止されたとき（パチンコ遊技機１での確変が終了したとき（実際には、確変／時短遊技状態から時短単独状態へ移行したとき、或いは確変単独遊技状態が終了したとき））には、確変中フラグがオフされると共に、その時点での仮確変スタート数が確変中無当たりスタート数に加算される。
【００６０】
要するに、管理装置１３においては、アウト信号入力処理ルーチンＲ１、セーフ信号入力処理ルーチンＲ２、スタート信号入力処理ルーチンＲ３、大当たり信号入力処理ルーチンＲ４、確変信号入力処理ルーチンＲ５において、パチンコ遊技機１についての以下のような種類の数値データを素データとして集計するものである。
・アウト信号入力処理ルーチンＲ１…累計アウト数、大当たり中アウト数、時短中アウト数、
・セーフ信号入力処理ルーチンＲ２…累計セーフ数、大当たり中セーフ数、時短中セーフ数、
・スタート信号入力処理ルーチンＲ３…累計スタート数、確変中スタート数、確変／時短中スタート数、時短中スタート数、
・大当たり信号入力処理ルーチンＲ４…累計大当たり数、確変中大当たり数、
・確変信号入力処理ルーチンＲ５…確変中無当たりスタート数。
尚、上記確変中スタート数、確変／時短中スタート数、時短中スタート数、確変中無当たりスタート数の各データが本発明でいうスタート種別データに相当することになる。
【００６１】
図１２には、管理装置１３において上記素データを帳票データとして出力する場合のフォーマット例が示されている。即ち、図１２は、例えば１０台分のパチンコ遊技機１に係る素データを集めた帳票データを示すものであり、各パチンコ遊技機１の台番号（台番）が付された各レコード中に、累計アウト数、累計セーフ数、大当たり中アウト数、大当たり中セーフ数、時短中アウト数、時短中セーフ数、累計スタート数、確変中スタート数、確変中無当たりスタート数、時短中スタート数、累計大当たり数、確変中大当たり数、確変／時短中スタート数を記録すると共に、各素データの平均値並びに合計値を記録した形態となっている。尚、図１２において、アウト数及びセーフ数に係るデータは、実データの１／１０の値が示されている。
【００６２】
管理装置１３は、上記素データを利用して種々の稼動データを算出することにより図１３〜図１５に示すような帳票データを出力する構成となっており、以下、これらの帳票データについて説明する。
図１３には、素データを利用して算出される稼動データのうち、パチンコ玉の入賞率に係るデータを、時短が発生した期間（重複期間及び第１期間の合計期間）と、時短及び大当たりが発生していない期間（第２期間及び通常期間の合計期間）についての各遊技特性を比較する場合に利用できるデータを集めた帳票データの出力例が示されている。即ち、この帳票データは、パチンコ玉の入賞率に係るデータを、時短期間と、ベース期間（大当たり期間及び時短期間（確変／時短遊技状態及び時短単独遊技状態）を除いた期間、つまり、確変単独遊技状態にある期間及び通常遊技状態にある期間）とに区分して集計したものであり、各パチンコ遊技機１の台番号（台番）が付された各レコード中に、以下のような種類の数値データを記録すると共に、各数値データの平均値並びに合計値を記録した形態となっている。尚、合計値については、合計することが有意なデータ（ＢＯ、Ｂセーフ、ベース中累計スタート）についてのみ記録されるものである。また、図１３において、アウト数及びセーフ数に係るデータ（ＢＯ、Ｂセーフ）は、実データの１／１０の値が示されている。
【００６３】
・ＢＯ…ベース期間中の累計アウト数（＝累計アウト数−大当たり中アウト数−時短中アウト数）、
・Ｂセーフ…ベース期間中の累計セーフ数（＝累計セーフ数−大当たり中セーフ数−時短中セーフ数）、
・ベース…ベース期間中の出玉率（＝（Ｂセーフ÷ＢＯ）×１００）、
・ＢＡ…時短中の出玉率（＝（時短中セーフ数÷時短中アウト数）×１００）、
・ベース中累計スタート数…ベース期間中の累計スタート数（＝累計スタート数−時短中スタート数）、
・Ｓ…ベース期間中のスタート入賞率（＝（ベース中累計スタート数÷ＢＯ）×１００）、
・ＳＡ…時短中のスタート入賞率（＝（時短中スタート数÷時短中アウト数）×１００）。
【００６４】
図１４には、前記素データを利用して算出される稼動データのうち、大当たり発生確率に係るデータを、確変が発生した期間（重複期間及び第２期間の合計期間）と確変及び大当たりが発生していない期間（第１期間及び通常期間の合計期間）についての各遊技特性を比較する場合に利用できるデータを集めた帳票データの出力例が示されている。即ち、この帳票データは、大当たり発生確率に係るデータを、確変期間と、通常確率期間（確変期間（確変／時短遊技状態及び確変単独遊技状態）を除いた期間）とに区分して集計したものであり、各パチンコ遊技機１の台番号（台番）が付された各レコード中に、以下のような種類の数値データを記録すると共に、各数値データの平均値並びに合計値を記録した形態となっている。尚、合計値については、合計することが有意なデータ（通常確率累計スタート数、通常確率大当たり数）についてのみ記録されるものである。
【００６５】
・通常確率累計スタート数…通常確率期間の累計スタート数（＝累計スタート数−確変中スタート数）、
・通常確率大当たり数…通常確率期間に発生した大当たりの累計回数（累計大当たり数−確変中大当たり数）、
・ＴＳ…通常確率にある期間の大当たり確率（＝通常確率累計スタート数÷通常確率大当たり数）
・ＴＳＡ…確変期間中の大当たり確率（＝確変中スタート数÷確変中大当たり数）、
・累計ＴＳ…全体の大当たり確率（＝累計スタート数÷累計大当たり数）、
・確変継続…通常確率時に発生した大当たり及びその後の確変期間に連続して発生した大当たりの継続回数の平均値。
【００６６】
上記図１３及び図１４の帳票データ中の各データそのものは、従来のデータ管理システムにおいても算出されていたデータであるが、本実施例では、図１５に示すような新たな稼動データについての帳票データも出力する構成となっている。即ち、図１５に示した帳票データは、各パチンコ遊技機１の台番号（台番）が付された各レコード中に、以下のような種類の数値データを記録すると共に、各数値データの平均値並びに合計値を記録した形態となっている。尚、合計値については、合計することが有意なデータ（確変継続スタート数、確変継続無当たりスタート数、ベース中確変スタート数、ベース中通常確率Ｓ）についてのみ記録されるものである。
【００６７】
・確変継続スタート数…確変期間中の平均スタート継続数（＝確変中スタート数÷確変突入数＝確変中スタート数÷累計大当たり数）、
・確変継続無当たりスタート数…確変期間中に大当たりが発生しなかったときの平均スタート継続数（＝確変中無当たりスタート数÷大当たりに結びつかなかった確変への突入数＝確変中無当たりスタート数÷通常確率大当たり数）、
・確変スタート率…累計スタート数のうちの確変スタート数の割合（＝（確変中スタート数÷累計スタート数）×１００）、
・ベース中確変スタート数…ベース期間中の累計確変スタート数（＝確変中スタート数−確変／時短中スタート数）、
・時短中確変率…時短中スタート数のうちの確変スタート数の割合（＝（確変／時短中スタート数÷時短中スタート数）×１００）、
・ベース中確変率…ベース期間中の確変スタート数の割合（＝ベース中確変スタート数÷ベース中累計スタート数）、
・ベース中通常確率Ｓ…ベース期間中で尚且つ通常確率期間のスタート数（＝累計スタート数−確変中スタート数−時短中スタート数＋確変／時短中スタート数）、
・ベース通確スタート率…累計スタート数のうちのベース中通常確率Ｓの割合（＝（ベース中通常確率Ｓ÷累計スタート数）×１００）。
【００６８】
一方、管理装置１３は、前記フローチャート（図６〜図１１）にて説明したように、パチンコ遊技機１から出力される大当たり信号及び確変信号に基づいて、当該パチンコ遊技機１において大当たり及び確変が発生した各期間に大当たり中フラグ及び確変中フラグをそれぞれオンすると共に、パチンコ遊技機１からのスタート信号の入力数及び予め設定された規定回数に基づいて、当該パチンコ遊技機１において時短が発生した期間に時短中フラグをオンするようになっており、これらフラグのオンオフ状態に基づいて、パチンコ遊技機１が確変／時短遊技状態、確変単独遊技状態、確変単独遊技状態、通常遊技状態の何れの状態にあるかを識別する構成となっている。管理装置１３は、このような識別結果を利用しながら、パチンコ遊技機１毎に以下［１］〜［６］のようなタイミングで所定の稼動データを含むレコードを作成し、そのレコードを当該パチンコ遊技機１の台番号と対応付けた状態で順次蓄積した大当たり履歴データを作成して出力する構成となっている。
【００６９】
即ち、図１６には、パチンコ遊技機１の台番号（この例では「５３７」番）に対応付けられた大当たり履歴データの出力例が示されており、これを参照しながら当該大当たり履歴データの作成機能について説明する。
［１］時短単独遊技状態または通常遊技状態にあるパチンコ遊技機１において大当たりが発生する毎に、その大当たり発生に係る通し番号を「台番号」欄（この例では「５３７」欄）に記録したレコードを作成すると共に、作成したレコード中の「Ｔ１」、「発生時刻」の各欄に、大当たり累計回数（何回目の大当たりであるかを示す数値）及び大当たり発生時刻をそれぞれ記録する。さらに、当該レコード中の「ＢＯ」、「Ｂサ」、「Ｓ」、「Ｔ１Ｙ」の各欄に、大当たり中以外のアウト数、大当たり中以外の差玉数、スタート数、大当たり中の差玉数をそれぞれ記録する。
この場合、特に、パチンコ遊技機１が時短単独遊技状態にあるときに発生した大当たりに係るレコードについては、「Ｔ１」欄に対し、大当たり累計回数と共に「＊」を記録すると共に、当該レコード中の「時短Ｓ」欄に、時短中のスタート数（時短Ｓ）を記録する。つまり、図１６の例では、「５３７」欄に「１」、「２」、「４」の番号が記録された各レコードが、通常遊技状態において発生した大当たりに対応し、「３」の番号が記録されたレコードが時短単独遊技状態において発生した大当たりに対応することになる。
【００７０】
［２］確変／時短遊技状態または確変単独遊技状態にあるパチンコ遊技機１において大当たりが発生する毎に、確変期間に大当たりが発生したことを示す記号「Ａ」を「５３７」欄（「台番号」欄）に記録したレコードを作成すると共に、作成したレコード中の「Ｔ１」、「発生時刻」の各欄に、大当たり累計回数及び大当たり発生時刻をそれぞれ記録する。さらに、当該レコード中の「ＢＯ」、「Ｂサ」、「Ｓ」、「Ｔ１Ｙ」、「確変Ｓ」、「時短Ｓ」の各欄に、大当たり中以外のアウト数、大当たり中以外の差玉数、スタート数、大当たり中の差玉数、確変中のスタート数をそれぞれ記録する。
この場合、特に、パチンコ遊技機１が確変／時短遊技状態にあるときに発生した大当たりに係るレコードについては、「Ｔ１」欄に対し、大当たり累計回数と共に「＊」を記録すると共に、当該レコード中の「時短Ｓ」欄に、時短中のスタート数を記録する。つまり、図１６の例の場合、記号「Ａ」のレコードは、確変／時短遊技状態に発生し大当たりに対応するものであり、図示しないが、確変単独遊技状態に発生した大当たりに対応したレコードには、「Ｔ１」欄の「＊」並びに「時短Ｓ」欄のデータ（時短中のスタート数）が記録されることはない。
【００７１】
［３］パチンコ遊技機１において、大当たりの終了に引き続く確変／時短遊技状態が終了し、これに応じて確変単独遊技状態及び時短単独遊技状態の何れか一方の状態を呈する毎に、終了した遊技形態の種別を示す記号「Ｋ」または「Ｊ」を「５３７」欄に記録したレコード（図１６の例では、第２番目、第６番目、第８番目、第１１番目のレコードが該当する）を作成すると共に、作成したレコード中の「発生時刻」の欄に、当該遊技形態の終了時刻をそれぞれ記録する。具体的には、確変／時短遊技状態から確変転落抽選に当選して時短単独遊技状態へ移行した場合には、確変が終了したことを示す「Ｋ」及びその終了時刻を記録したレコード（第２番目、第６番目のレコードが該当する）が作成され、確変／時短遊技状態において大当たり後のスタート数が規定回数（５０回）に達して確変単独遊技状態へ移行した場合には、時短が終了したことを示す「Ｊ」及びその終了時刻を記録したレコード（第８番目、第１１番目のレコードが該当する）が作成される。
また、作成したレコード中の「ＢＯ」、「Ｂサ」、「Ｓ」の各欄に、大当たり中以外のアウト数、大当たり中以外の差玉数、スタート数をそれぞれ記録すると共に、当該レコード中の「確変Ｓ」、「時短Ｓ」の各欄に該当するスタート数の記録を行う。この場合、これらのレコードは、時短に係るデータを含むものであるため、そのことを示す「＊」が「Ｔ１」欄に記録される。尚、確変／時短遊技状態から確変単独遊技状態へ移行した場合（時短が先に終了した場合）には、当然のことながら、「確変Ｓ」、「時短Ｓ」の各欄に規定回数に相当した「５０」がそれぞれ記録されることになる（第８番目、第１１番目のレコード参照）。
【００７２】
［４］パチンコ遊技機１において、確変単独遊技状態から通常遊技状態へ移行する毎に、終了した遊技形態の種別を示す記号「Ｋ」を「５３７」欄に記録したレコード（図１６の例では、第９番目のレコードが該当する）を作成すると共に、作成したレコード中の「発生時刻」の欄に、当該確変単独遊技形態の終了時刻を記録する。さらに、当該レコード中の「ＢＯ」、「Ｂサ」の各欄に、確変中のアウト数、確変中の差玉数を記録すると共に、「Ｓ」、「確変Ｓ」の各欄に確変中のスタート数（同じ数値）をそれぞれ記録する。尚、このレコードは、時短に関係していないため、そのことを示す「＊」が「Ｔ１」欄に記録されることはない。
【００７３】
［５］パチンコ遊技機１において、時短単独遊技状態から通常遊技状態へ移行する毎に、終了した遊技形態の種別を示す記号「Ｊ」を「５３７」欄に記録したレコード（図１６の例では、第３番目のレコードが該当する）を作成すると共に、作成したレコード中の「発生時刻」の欄に、当該時短単独遊技形態の終了時刻を記録する。さらに、当該レコード中の「ＢＯ」、「Ｂサ」の各欄に、時短中のアウト数、時短中の差玉数を記録すると共に、「Ｓ」、「時短Ｓ」の各欄に、時短中のスタート数（同じ数値）を記録する。尚、このレコードは、時短に関係したレコードであるため、そのことを示す「＊」が「Ｔ１」欄に記録される。
【００７４】
［６］上記のようなレコード生成タイミングが発生するまでの期間は、仮レコードを作成する。この仮レコードには、その「ＢＯ」、「Ｂサ」、「Ｓ」の各欄に、大当たり中以外のアウト数、大当たり中以外の差玉数、スタート数をそれぞれ更新記録すると共に、「確変Ｓ」、「時短Ｓ」の各欄に該当データ（確変中のスタート数または時短中のスタート数）がある場合に、そのデータの記録を行う。つまり、図１６の例では、第１２番目（最下段）のレコードが仮レコードに該当するものであるが、この仮レコードの作成時点では、前段のレコードの「５３７」欄に記号「Ｊ」が記録された状態、つまり、確変／時短遊技状態から時短が終了して確変単独遊技状態へ移行した状態にあるから、「確変Ｓ」欄に確変中のスタート数が記録されることになる。
【００７５】
尚、「ＢＯ」、「Ｂサ」、「Ｓ」、「確変Ｓ」、「時短Ｓ」の各欄外には、それぞれの合計データを示す値が記録される。
要するに、図１６の例では、レコード中に記録された「５３７」欄、「Ｔ１」欄、「発生時刻」欄の各データに基づいて、台番号「５３７」のパチンコ遊技機１の遊技パターンが以下＜１＞〜＜６＞のような形態であったことが分かる。
【００７６】
＜１＞１０時５０分の１回目の大当たり、１２時００分の２回目の大当たり、１３時３０分の５回目の大当たりは、パチンコ遊技機１が通常遊技状態にあるときに発生し、１２時０５分の３回目の大当たりはパチンコ遊技機１が確変／時短遊技状態にあるときに発生し、１２時１５分の４回目の大当たりはパチンコ遊技機１が時短単独遊技状態にあるときに発生した。
＜２＞１回目の大当たり終了後には、確変終了後に時短が終了し（確変／時短遊技状態→時短単独遊技状態→通常遊技状態の順に推移）、通常遊技状態において２回目の大当たりが発生した。
＜３＞２回目の大当たり終了後には、確変／時短遊技状態において３回目の大当たり（所謂甘モードでの大当たり）が発生した。
＜４＞３回目の大当たり終了後には、確変終了後の時短単独遊技状態において４回目の大当たりが発生した。
＜５＞４回目の大当たり終了後には、時短終了後に確変が終了し（確変／時短遊技状態→確変単独遊技状態→通常遊技状態の順に推移）、通常遊技状態において５回目の大当たりが発生した。
＜６＞５回目の大当たり終了後には、時短が先に終了し、現在は確変単独遊技状態にある。
【００７７】
また、図１６の例では、大当たり発生が記録されたレコード（「５３７」欄に「１」〜「４」または「Ａ」が記録されたレコード）における「ＢＯ」欄、「Ｂサ」欄、「Ｓ」欄及び「Ｔ１Ｙ」欄の各データに基づいて、前回の大当たりの終了時点（但し、第１番目のレコードについては遊技場の営業開始時点）から、対応する大当たりが発生するまでの期間の「アウト玉数」、「差玉数」、「スタート数」が示されると共に、「大当たり中差玉数」が示されることになる。特に、甘モードでの大当たり発生が記録されたレコード（「５３７」欄に「Ａ」が記録されたレコード）においては、「確変Ｓ」欄及び「時短Ｓ」欄のデータに基づいて当該大当たり直前の確変／時短遊技状態中の「スタート数」も示される。
【００７８】
さらに、大当たり発生が記録された上記各レコードの次段のレコードのうち、「５３７」欄に「Ｋ」または「Ｊ」が記録されたレコード（第２、第６、第８、第１１番目の各レコード）における「ＢＯ」欄、「Ｂサ」欄、「Ｓ」欄、「確変Ｓ」欄、「時短Ｓ」欄の各データに基づいて、確変／時短遊技状態にあった各期間の「アウト玉数」、「差玉数」、「スタート数」が表示される。また、これら各レコードの次段のレコードのうち、「５３７」欄に「Ｊ」が記録されたレコード（第３番目のレコード）における「ＢＯ」欄、「Ｂサ」欄、「Ｓ」欄、「時短Ｓ」欄の各データに基づいて、時短単独遊技状態にあった期間の「アウト玉数」、「差玉数」、「スタート数」が表示され、上記各レコードの次段のレコードのうち、「５３７」欄に「Ｋ」が記録されたレコード（第９番目のレコード）における「ＢＯ」欄、「Ｂサ」欄、「Ｓ」欄、「確変Ｓ」欄の各データに基づいて、確変単独遊技状態にあった期間の「アウト玉数」、「差玉数」、「スタート数」が表示される。
【００７９】
尚、図１６の大当たり履歴データにおいては、時短に関係したレコード（時短単独遊技状態にあるときに発生した大当たりに係るレコード、確変／時短遊技状態にあるときに発生した大当たりに係るレコード、時短に係るデータを含むレコード）の「Ｔ１」欄に「＊」を記録するようにしたが、この代わりに、確変に関係したレコードの「Ｔ１」欄に「＊」を記録する構成としても良い。また、時短に関係したレコードが確変にも関係していた場合には、「＊」と共に例えば「※」のような他の記号を記録する構成としても良い。
【００８０】
ここで、図１６に示した大当たり履歴データは、大当たり発生の発生タイミング、確変及び時短が重複した期間の終了タイミング（確変／時短遊技状態が終了したタイミング）、確変終了タイミング（確変単独状態が終了したタイミング）、時短終了タイミング（時短単独状態が終了したタイミング）で作成したレコードを蓄積したものであるが、大当たり発生、時短終了の各タイミングのみで作成したレコードを蓄積した大当たり履歴データを作成しても良いものであり、このような大当たり履歴データの一例が図１７に示されている。また、大当たり発生、確変終了の各タイミングのみで作成したレコードを蓄積した大当たり履歴データを作成しても良いものであり、このような大当たり履歴データの一例が図１８に示されている。
【００８１】
但し、図１６の大当たり履歴データにおいて、各レコード中の「＊」は、当該レコードが時短に関係したものであった場合に記録されるものであるが、図１７の大当たり履歴データにおいては、確変から転落したレコードに「＊」を記録する構成となっている。つまり、図１７の大当たり履歴データでは、大当たり或いは時短が終了した時点でレコードを作成することになるが、そのままでは、いつ確変転落したのか不明であるため、確変から転落したレコードの「Ｔ１」欄に対し「＊」を記録し、「Ｓ」及び「確変Ｓ」の各欄のデータを比較することにより、当該レコードにおいて、どこまで確変期間で、どこからが通常状態期間なのかを把握可能にしている（「確変Ｓ」が記録されているレコードは、最初は必ず確変であるため）。
【００８２】
また、図１８の大当たり履歴データにおいては、時短が終了したレコードに「＊」を記録する構成となっている。つまり、図１８の大当たり履歴データでは、大当たり終了或いは確変転落した時点でレコードを作成することになるが、そのままでは、いつ時短が終了したのか不明であるため、時短が終了したレコードの「Ｔ１」欄に対し「＊」を記録し、「Ｓ」及び「時短Ｓ」の各欄のデータを比較することにより、当該レコードにおいて、どこまで時短期間で、どこからが通常状態期間なのかを把握可能にしている（「時短Ｓ」が記録されているレコードは、最初は必ず時短であるため）。
【００８３】
因みに、図１７の大当たり履歴データにおいては、「確変Ｓ」と「Ｓ」とが異なるレコードに「＊」が記録され、図１８の大当たり履歴データにおいては、「時短Ｓ」と「Ｓ」とが異なるレコードに「＊」が記録されることになる。  以上要するに、本実施例の構成によれば、パチンコ遊技機１においては、大当たりが一旦発生したときに、その大当たり終了後に遊技者側に有利な確変及び時短の双方が同時に発生した確変／時短遊技状態を呈し、その確変／時短遊技状態において、スタート入賞口６へパチンコ玉が入賞する毎に行われる確変転落抽選に当選したときに確変が終了して時短単独遊技状態を呈し、また、確変／時短遊技状態において、スタート数（特別図柄表示部９ａでの図柄変動演出動作回数）が規定回数（５０回）実行されたときに時短が終了して確変単独遊技状態を呈することになる。つまり、確変の終了タイミング及び時短の終了タイミングが自ずと異なるようになるから、大当たり終了後には、確変／時短遊技状態の期間を経た後に、確変単独遊技状態または時短単独遊技状態の何れかの期間を経て通常遊技状態へ戻ることになる。
【００８４】
この場合、パチンコ遊技機１からは、大当たりにある期間に大当たり信号が出力され、確変にある期間に確変信号が出力され、特別図柄表示部９ａの動作が開始されたときにスタート信号が出力され、これらの信号が管理装置１３に与えられるようになっており、管理装置１３においては、大当たりの発生及び終了を大当たり信号に基づいて判定できると共に、確変が終了したことを確変信号に基づいて判定できる。また、管理装置１３においては、時短が終了したことを大当たり信号及びスタート信号に基づいて判定する。具体的には、大当たり信号に基づいて判定した大当たり終了後におけるスタート数を上記スタート信号に基づいて計数し、計数したスタート数が、規定回数である５０回に到達したときに時短が終了した旨の判定を行う構成となっている。
【００８５】
これにより、管理装置１３においては、上記のような判定結果及び前記確変信号に基づいて、パチンコ遊技機１で確変及び時短が双方とも発生している重複期間、時短のみが発生している第１期間、確変のみが発生している第２期間を正確に識別できるようになる。
また、管理装置１３においては、大当たり間における遊技機についての稼動データを、所定のタイミング（例えば、大当たりが発生したタイミング、確変及び時短が重複した期間の終了タイミング、確変終了タイミング、時短終了タイミング）毎に集計したレコードを作成し、そのレコード群を大当たり履歴データとして出力する。さらに、管理装置１３は、特別図柄表示部９ａでの図柄変動演出動作の実行回数であるスタート数を、パチンコ遊技機１が時短状態にある期間の時短中スタート数と、確変状態にある期間の確変スタート数とに区分し、それら時短スタート数及び確変スタート数を、上記のように作成したレコード中に記録するようになる。
【００８６】
つまり、時短及び確変が単独発生する期間並びに重複発生する期間が存在する構成のパチンコ遊技機１が管理対象であった場合でも、確変期間のスタート数と、時短期間のスタート数とを区分した状態の大当たり履歴データを作成できるものであり、これにより、パチンコ遊技機１の遊技特性などの管理をきめ細かく行うことが可能になるものである。
また、大当たり履歴データのレコードは、大当たりの発生タイミング毎、確変及び時短の重複期間の終了タイミング、確変が単独発生した期間の終了タイミング、時短が単独発生した期間の終了タイミングの何れか１つまたは２つ若しくは全部において選択的に作成できるから、このように作成された大当たり履歴データに基づいたパチンコ遊技機１の管理を精度良く行うことが可能になる。
【００８７】
また、管理装置１３は、図１７及び図１８の大当たり履歴データのように、大当たりの終了タイミング以外に、時短の終了タイミング、確変の終了タイミングの少なくとも一方をレコード作成タイミングとすると共に、前記時短の終了タイミングをレコード作成タイミングとした場合には、大当たり履歴データのレコードに確変期間が終了したか否かを示して出力する一方、確変の終了タイミングをレコード作成タイミングとした場合には、大当たり履歴データのレコードに時短が終了したか否かを示して出力する構成となっているから、レコード数を少なく抑えながらパチンコ遊技機１での遊技状態の推移を的確に把握可能になるという効果も得られる。
【００８８】
さらに、管理装置１３は、前述のような正確な識別結果に基づいて、パチンコ遊技機１の稼動データのうちパチンコ玉の入賞率に係るデータ、つまり、時短が発生した期間と非発生期間とで大きく変動することになるデータを、時短が発生した期間と、時短及び大当たりが発生していない期間とに区別して集計すると共に、パチンコ遊技機１の稼動データのうち大当たり発生確率に係るデータ、つまり、確変が発生した期間と非発生期間とで大きく変動することになるデータを、確変が発生した期間と、通常確率期間とに区別して集計するようになる。この結果、遊技者側に有利な確変及び時短が単独発生する期間及び重複発生するが存在する構成のパチンコ遊技機１が管理対象でありながら、当該確変及び時短に係る稼動データをきめ細かく管理することが可能になる。この場合、パチンコ遊技機１からは遊技状態信号として１種類の信号（確変信号）が出力されるだけであって、管理装置１３側のハードウェア構成を変更する必要がなくなるから、ハードウェアコストの増大を伴う恐れがなくなるものである。
【００８９】
また、本実施例によれば、スタート入賞口６へパチンコ玉が入賞したときのパチンコ遊技機１の状態が、スタート種別データ（上記確変中スタート数、確変／時短中スタート数、時短中スタート数、確変中無当たりスタート数）として蓄積されることになるから、一段ときめ細かいデータ管理が可能になる。
尚、本実施例によれば、呼出ランプユニット１１の表示ランプ１１ａ〜１１ｃによって、パチンコ遊技機１が大当たりにあること、確変／時短遊技状態または時短単独遊技状態にあることを報知する構成となっているが、当該パチンコ遊技機１が確変単独遊技状態にあることについては報知しない構成となっている。このため、スタート入賞口６への入賞率が高められた状態の時短が発生していることを遊技者に積極的にアピールできるという遊技性の向上効果を期待できると共に、確変継続中か否かについては遊技者側に期待感を抱かせることにより遊技継続に対する意欲並びに遊技に係る興趣の向上を期待できる、という新たな遊技性が生まれることになる。
【００９０】
（その他の実施の形態）
本発明は上記し且つ図面に示した実施例に限定されるものではなく、例えば以下に述べるような変形或いは拡大が可能である。
時短を終了させるときに基準となる規定回数（上記実施例では５０回）を、パチンコ遊技機１毎に変更設定可能な設定手段を設ける構成としても良い。この構成によれば、時短の終了タイミングを、パチンコ遊技機１毎或いはその機種毎に異ならせることが可能になり、これにより、遊技場内に設置されたパチンコ遊技機１に係る遊技性の多様化を容易に実現できるようになる。
【００９１】
判定手段及びデータ管理手段の機能を管理装置１３において実現する構成としたが、例えば、呼出ランプユニット１１内に当該判定手段及びデータ管理手段の機能を備えた制御装置を設ける構成とすることも可能であり、また、台間玉貸機１０或いは他の端末内に同様機能を備えた制御装置を設けることにより実現することも可能である。
パチンコ遊技機１は、大当たりの終了後において確変／時短遊技状態へ必ず移行する構成としたが、大当たり終了後に所定の確率で確変／時短遊技状態へ移行する構成、例えば、特別図柄表示部９ａにおける図柄変動演出動作の終了時点での表示数字列が「１１１」、「３３３」のような奇数列であった場合に、確変／時短遊技状態へ移行する構成（移行する確率は１／２）であっても良い。
【００９２】
尚、このような構成とする場合、パチンコ遊技機は、大当たりの終了後において確変／時短遊技状態への移行条件が成立しなかったときに、必ず時短単独遊技状態へ移行する構成、或いは必ず通常遊技状態へ移行する構成であっても良い。即ち、大当たりの終了後に必ず時短単独遊技状態へ移行するように構成されたパチンコ遊技機が管理対象となった場合には、前記実施例で述べた管理システムで対応可能になる。また、大当たりの終了後に必ず通常遊技状態へ移行するように構成されたパチンコ遊技機が管理対象となった場合には、そのままでは対応不可能であるが、確変と時短とが同時に発生することが前提であることを利用し、大当たり後に当該パチンコ遊技機から確変信号が入力されたときに時短になったと判断して状態判定用スタートに係る処理（図９参照）を行い、確変信号が入力されなかった場合に通常遊技状態と判断して当該状態判定用スタートに係る処理を行わない構成とすれば対応可能となる。  上記実施例では、パチンコ遊技機１が確変／時短遊技状態にあるとき並びに時短単独遊技状態にあるときに、呼出ランプユニット１１の表示ランプ１１ｂ、１１ｃを交互に点滅させるという表示動作を行う構成としたが、そのような表示動作を、パチンコ遊技機１が確変／時短遊技状態にあるときに行い、パチンコ遊技機１が時短単独遊技状態にあるときには、例えば表示ランプ１１ｃのみを点滅させるという表示動作を行う構成としても良い。尚、このような構成とした場合には、パチンコ遊技機１が確変／時短遊技状態にある期間に確変が終了して時短単独遊技状態に移行すると、確変が終了した旨が遊技者に間接的に報知されることになるから、そのような報知を遊技者向けサービスとして提供しようとする場合に有益になる。
【００９３】
上記実施例では、大当たり終了後のスタート数が規定回数に達したときに時短を終了し、転落抽選動作の結果に応じて確変を終了する構成としたが、この逆の構成、つまり、大当たり終了後のスタート数が規定回数に達したときに確変が終了し、転落抽選動作が当たりとなったときに時短が終了する構成であっても良い。
パチンコ遊技機１が確変状態にある期間の識別を、当該パチンコ遊技機１側から確変にある期間に出力される確変信号（遊技状態信号）に基づいて行う構成としたが、パチンコ遊技機１において確変転落抽選に当選したタイミングで当該パチンコ遊技機１から確変終了信号（遊技状態信号）が出力される構成とし、管理装置１３側では、その確変終了信号の入力タイミングに基づいて上記確変期間の識別を行う構成としても良い。
【００９４】
時短が発生したことを示す時短信号を出力する構成の信号発生基板が設けられたパチンコ遊技機を管理対象とすることも可能であり、この場合には、管理装置１３側において、当該パチンコ遊技機における時短終了タイミング（時短中フラグをオフするタイミング）の判定などを上記時短信号に基づいて直接的に行い得るようになる。
【図面の簡単な説明】
【００９５】
【図１】本発明の一実施例を示す遊技場用システムの概略的構成図
【図２】パチンコ遊技機の概略的正面図
【図３】図柄表示装置の概略的正面図
【図４】呼出ランプユニットの正面図
【図５】大当たり、確変、時短の発生タイミングの一例を示すタイミングチャート
【図６】管理装置による制御内容を示すフローチャートその１
【図７】管理装置による制御内容を示すフローチャートその２
【図８】管理装置による制御内容を示すフローチャートその３
【図９】管理装置による制御内容を示すフローチャートその４
【図１０】管理装置による制御内容を示すフローチャートその５
【図１１】管理装置による制御内容を示すフローチャートその６
【図１２】管理装置から出力される帳票データ例を示す図その１
【図１３】管理装置から出力される帳票データ例を示す図その２
【図１４】管理装置から出力される帳票データ例を示す図その３
【図１５】管理装置から出力される帳票データ例を示す図その４
【図１６】管理装置から出力される帳票データ例を示す図その５
【図１７】管理装置から出力される帳票データ例を示す図その６
【図１８】管理装置から出力される帳票データ例を示す図その７
【符号の説明】
【００９６】
１はパチンコ遊技機、６はスタート入賞口、６ａは電動チューリップ、９は図柄表示装置、９ａは特別図柄表示部、１０は台間玉貸機、１１は呼出ランプユニット、１３は管理装置（識別手段、データ管理手段、判定手段）を示す。
【図１】
2006095045.tif 000003
【図２】
2006095045.tif 000004
【図３】
2006095045.tif 000005
【図４】
2006095045.tif 000006
【図５】
2006095045.tif 000007
【図６】
2006095045.tif 000008
【図７】
2006095045.tif 000009
【図８】
2006095045.tif 000010
【図９】
2006095045.tif 000011
【図１０】
2006095045.tif 000012
【図１１】
2006095045.tif 000013
【図１２】
2006095045.tif 000014
【図１３】
2006095045.tif 000015
【図１４】
2006095045.tif 000016
【図１５】
2006095045.tif 000017
【図１６】
2006095045.tif 000018
【図１７】
2006095045.tif 000019
【図１８】
2006095045.tif 000020